(57)【要約】【課題】レトルト食品を包装するパウチ状の包装体と、そのパウチ状の包装体を外側から覆う外箱状の包装体とを具備するレトルト食品用包装体に関し、煩雑な構成となることがなく、且つ内容物の注出のための煩雑な作業を要することもなく、加熱後のパウチに手を触れることなく内容物を容易に注出することができるレトルト食品の包装体を提供することを課題とする。【解決手段】加熱手段により内容物を加熱することができる素材からなるパウチと、前記加熱手段によっても把持することができる程度の熱さに熱伝達が制御される素材からなるとともに前記パウチに外嵌されるスリーブとで構成され、該スリーブがパウチに外嵌された際に、前記スリーブがパウチに止着されるように構成されていることを特徴とするレトルト食品用包装体を提供するものである。【選択図】図１０
2011088662.tif 000002
【特許請求の範囲】
【請求項１】
加熱手段により内容物を加熱することができる素材からなるパウチ（１）と、前記加熱手段によっても把持することができる程度の熱さに熱伝達が制御される素材からなるとともに前記パウチ（１）に外嵌されるスリーブ（２）とで構成され、該スリーブ（２）がパウチ（１）に外嵌された際に、前記スリーブ（２）がパウチ（１）に止着されるように構成されていることを特徴とするレトルト食品用包装体。
【請求項２】
パウチ（１）の両側縁部に切欠（８）、（８）が形成されているとともに、前記パウチ（１）の切欠（８）に係止される係止部（１８）がスリーブ（２）に形成され、該スリーブ（２）の係止部（１８）が前記パウチ（１）の切欠（８）に係止されることによって、前記スリーブ（２）がパウチ（１）に止着される請求項１記載のレトルト食品用包装体。
【請求項３】
スリーブ（２）の内面側がシールされることによってスリーブ（２）の係止部（１８）が形成されている請求項２記載のレトルト食品用包装体。
【請求項４】
パウチ（１）の下部に係入突片（２３）が形成され、該係入突片（２３）を係入することができる係入孔（２５）がスリーブの下部に形成されて、パウチ（１）の係入突片（２３）がスリーブ（２）の係入孔（２５）に係入され、且つ相互に係合可能な係合片（２４ａ）、（２４ｂ）がスリーブ（２）に形成され、該係合片（２４ａ）、（２４ｂ）が係合されることによってスリーブ（２）がパウチ（１）に止着される請求項１記載のレトルト食品用包装体。
【請求項５】
スリーブ（２）が、紙製シート（１１）の両面側に合成樹脂製シート（１２ａ）、（１２ｂ）を設けて３層で構成されている請求項１乃至４のいずれかに記載のレトルト食品用包装体。
【発明の詳細な説明】
【技術分野】
【０００１】
本発明は、レトルト食品用包装体、さらに詳しくは、レトルト食品を包装するパウチ状の包装体と、そのパウチ状の包装体を外側から覆う外箱状の包装体とを具備するレトルト食品用包装体に関する。
【背景技術】
【０００２】
一般に、レトルト食品は、パウチと称される密封用の易開封性の包装袋に包装されており、さらに、そのパウチが外箱に収容されてレトルト食品の包装体が構成されている。このようなレトルト食品は、湯煎によって加熱される他、電子レンジ等のマイクロ波によっても加熱されるが、加熱の際には、パウチが外箱から取り出され、パウチのみが加熱されることとなる。
【０００３】
しかしながら、上記のようなパウチは、一般に合成樹脂製フィルムにアルミニウムをラミネートしたアルミラミネートフィルム等の素材によって構成されているため、湯煎やマイクロ波の加熱によって熱くなり、加熱後のパウチを湯煎の鍋や電子レンジから取り出す際に手で把持する作業を行いにくいという問題がある。
【０００４】
また、パウチを引き裂いて開封を行う際、パウチの胴部分が熱いために、熱が比較的伝わりにくい側縁のシール部分等を把持しながら引き裂き開封操作を行う場合があるが、シール部分は面積が小さいので手で把持するのに不十分であり、またパウチを構成する素材であるアルミラミネートフィルムが撓むことで、開封口や切れ端で手が汚れることもあった。
【０００５】
さらに、内容物をパウチから注出する場合、一般にはパウチの底部に近い部分から順に押し出しながら注出を行うが、底部に近い部分は面積が大きいので、加熱直後にその部分を手で押し出す操作を行うのも、熱さが手に伝わるので容易ではなく、結果として押し出しながら注出を行う作業が不十分となり、内容物が不用意に飛散し、或いは内容物の注出が不十分となる等の問題が生じていた。
【０００６】
そこで、このような点に鑑み、たとえば下記特許文献１のような特許出願がなされている。この特許文献１に記載された発明は、当該特許文献２の明細書の段落［０００２］や段落［０００３］にも記載されているように、「パックを加熱した場合などに、熱くて手で押し出すことが難しい」という問題点を解決することを課題とするもので、その課題を解決するために、外装ケース５と中パックとで包装体を構成し、段落［０００４］に記載されているように、「外装ケース５の上部固定部２に押し出し棒３を設け、外装ケース５の一部に切り離すための切目６を設け、外装ケース５と押し出し棒セット４の間より中パック７の引っ張り部９を出し、外装ケース５のケース押さえ部１２の表裏を挟むように押さえ、引っ張り部９を引っ張り上げることで、中パック７の切り取り部８をカットした抽出部１１より中身が注出されるように構成したものである。
【０００７】
しかしながら、外装ケース５の上部固定部２に押し出し棒３を設けるように構成すること自体、外装ケース５の製作が煩雑になるという問題がある。また、外装ケース５と押し出し棒セット４の間より中パック７の引っ張り部９を出し、ケース押さえ部１２の表裏を挟むように押さえ、引っ張り部９を引っ張り上げるという一連の操作も非常に煩雑である。しかも、このような煩雑な構成において、外装ケース５と押し出し棒セット４の間より中パック７の引っ張り部９を出す作業を確実に行えるか必ずしも定かではない。
【先行技術文献】
【特許文献】
【０００８】
【特許文献１】特開２００３−３４３７０号公報
【発明の概要】
【発明が解決しようとする課題】
【０００９】
本発明は、このような問題点を解決するためになされたもので、上記特許文献１のような煩雑な構成となることがなく、且つ内容物の注出のための煩雑な作業を要することもなく、加熱後のパウチに手を触れることなく内容物を容易に注出することができるレトルト食品の包装体を提供することを課題とする。
【課題を解決するための手段】
【００１０】
本発明は、上記のような課題を解決するためになされたもので、加熱手段により内容物を加熱することができる素材からなるパウチと、前記加熱手段によっても把持することができる程度の熱さに熱伝達が制御される素材からなるとともに前記パウチに外嵌されるスリーブとで構成され、該スリーブがパウチに外嵌された際に、前記スリーブがパウチに止着されるように構成されていることを特徴とするレトルト食品用包装体を提供するものである。
【００１１】
スリーブをパウチに止着する手段としては、たとえばパウチの両側縁部に切欠を形成するとともに、前記パウチの切欠に係止される係止部をスリーブに形成し、該スリーブの係止部を前記パウチの切欠に係止することによって、スリーブをパウチに止着するような手段を採用することができる。この場合のスリーブの係止部は、たとえば該スリーブの内面側をシールすることによって形成することができる。
また、たとえばパウチの下部に係入突片を形成し、該係入突片を係入することができる係入孔をスリーブの下部に形成し、前記パウチの係入突片をスリーブの係入孔に係入し、且つ相互に係合可能な係合片をスリーブに形成するとともに、該係合片を係合することによってスリーブをパウチに止着するような手段を採用することもできる。
さらに、外嵌されたスリーブを、接着剤を介してパウチに接着することによってスリーブをパウチに止着するような手段を採用することもできる。
またスリーブは、たとえば紙製シートの両面側に合成樹脂製シートを設けて３層で構成することができる。
【発明の効果】
【００１２】
本発明のレトルト食品用包装体は、上述のように、加熱手段により内容物を加熱することができる素材からなるパウチと、前記加熱手段によっても把持することができる程度の熱さに熱伝達が制御される素材からなるとともに前記パウチに外嵌されるスリーブとで構成されたものであるため、このような構成からなるレトルト食品用包装体をそのままの状態で、たとえば湯煎や電子レンジのような加熱手段を講じることにより、パウチを介して内容物が好適に加熱されることとなり、その一方で、スリーブは、そのような加熱手段によっても把持することができる程度の熱さにしか加熱されないので、内容物の加熱後においても、使用者がスリーブに手を触れてもパウチに手を触れる場合のような熱さを感じることがなく、手に伝わる熱さが軽減されることとなる。
【００１３】
従って、スリーブを把持することによって、パウチの開封操作時において、熱くなったパウチの少なくとも胴部に手を振れる必要がなく、パウチの開封作業を容易に行うことができるという効果がある。また、内容物の注出時においても、熱さが軽減されたスリーブを押圧することによってパウチも同時に押圧されることとなり、パウチ内の内容物を容易に注出することができるという効果がある。
【００１４】
さらに、スリーブがパウチに外嵌されるので、たとえばパウチをアルミラミネートフィルム等で構成し、スリーブを該アルミラミネートフィルムより厚手の紙等で構成することによって、パウチがスリーブに支持されることとなり、それによってパウチを構成するアルミラミネートフィルムの撓みが軽減され、その結果、パウチの開封口や切れ端から不用意に内容物が零れるのを防止することができる。
【００１５】
さらに、スリーブがパウチに外嵌された際に、前記スリーブがパウチに止着されるように構成されているので、スリーブからのパウチの抜け出しが阻止されることとなり、その結果、内容物の注出時にスリーブを押圧する際や、パウチの開封時にスリーブを把持する際において、パウチがスリーブから不用意に離脱することがないので、これらの内容物の注出作業やパウチの開封作業に支障を生じることがない。
【００１６】
さらに、スリーブを、紙製シートの両面側に合成樹脂製シートを設けて３層で構成した場合には、スリーブの内面側の合成樹脂製シートによって、その内面側の熱シール等を良好に行えるとともに耐水性が良好となり、また中央の紙製シートによって断熱効果が良好になるとともにスリーブに剛性が付与され、さらにスリーブの外面側の合成樹脂製シートによって、耐水性が良好になるとともに、断熱製も良好になるという効果がある。このように耐水性が良好となることで、たとえば湯煎で加熱するような場合に、紙製シートに水分が浸透するのを好適に防止することができる。
【図面の簡単な説明】
【００１７】
【図１】一実施形態としてのレトルト食品用包装体を構成するパウチの正面図。
【図２】図１のＡ−Ａ線断面図。
【図３】図１のＢ−Ｂ線断面図。
【図４】図１のＣ−Ｃ線断面図。
【図５】図１のＤ−Ｄ線断面図。
【図６】一実施形態としてのレトルト食品用包装体を構成するスリーブの正面図。
【図７】図６のＥ−Ｅ線断面図。
【図８】図６のＦ−Ｆ線断面図。
【図９】図７のＧ部拡大断面図。
【図１０】パウチにスリーブを外嵌した状態を示す正面図。
【図１１】図１０のＨ−Ｈ線断面図。
【図１２】図１０のＩ−Ｉ線断面図。
【図１３】図１０のＪ−Ｊ線断面図。
【図１４】パウチにスリーブを外嵌した状態を示す斜視図。
【図１５】内容物の注出時の操作を示す斜視図。
【図１６】パウチとスリーブを分別する状態を示す斜視図。
【図１７】他実施形態としてのレトルト食品用包装体を構成するパウチの正面図。
【図１８】図１７のＫ−Ｋ線断面図。
【図１９】他実施形態としてのレトルト食品用包装体を構成するスリーブの正面図。
【図２０】同スリーブを展開した状態を示す正面図。
【図２１】図１９のＬ−Ｌ線断面図。
【図２２】図１９のＭ−Ｍ線断面図。
【図２３】パウチにスリーブを外嵌した状態を示す他実施形態の正面図。
【図２４】図２３のＮ−Ｎ線断面図。
【図２５】図２３のＯ−Ｏ線断面図。
【図２６】さらに他の実施形態のレトルト食品用包装体を構成するパウチの正面図。
【図２７】パウチにスリーブを外嵌した状態を示す、さらに他の実施形態の正面図。
【図２８】図２７のＰ−Ｐ線断面図。
【発明を実施するための形態】
【００１８】
本発明のレトルト食品用包装体は、上述のように、加熱手段により内容物を加熱することができる素材からなるパウチと、前記加熱手段によっても把持することができる程度の熱さに熱伝達が制御される素材からなるとともに前記パウチに外嵌されるスリーブとで構成され、該スリーブがパウチに外嵌された際に、前記スリーブがパウチに止着されるように構成されているものである。
【００１９】
スリーブをパウチに止着する手段としては、たとえばパウチの両側縁部に切欠を形成するとともに、前記パウチの切欠に係止される係止部をスリーブに形成し、該スリーブの係止部を前記パウチの切欠に係止することによって、スリーブをパウチに止着するような手段を採用することができる。この場合のスリーブの係止部は、たとえば該スリーブの内面側をシールすることによって形成することができる。また、そのようなスリーブの内面側のシールは、たとえば紙製シートの両側に合成樹脂製シートを設けてスリーブを３層構造とし、内面側の合成樹脂製シートをシールすることによって実現できる。
【００２０】
さらに、たとえばパウチの下部に係入突片を形成し、該係入突片を係入することができる係入孔をスリーブの下部に形成し、前記パウチの係入突片をスリーブの係入孔に係入し、且つ相互に係合可能な係合片をスリーブに形成するとともに、該係合片を係合することによってスリーブをパウチに止着するような手段を採用することもできる。
さらに、外嵌されたスリーブを、接着剤を介してパウチに接着することによってスリーブをパウチに止着するような手段を採用することもできる。
【００２１】
本発明のレトルト食品用包装体を構成するパウチの材質は特に限定されるものではなく、たとえば合成樹脂製フィルムにアルミニウムをラミネートしたアルミニウムラミネートフィルムで構成することができる。また、アルミニウムラミネートフィルム以外に、たとえばポリエチレンテレフタレートフィルムとポリエチレンフィルムとを積層したような合成樹脂製のラミネートフィルムを使用することも可能である。要は、加熱手段により内容物を加熱することができる素材であることが必要である。たとえば湯煎による加熱手段を採用する場合には、パウチの素材自体が好適な熱伝導率を有する必要があることから、上記のようなアルミニウムラミネートフィルムを用いることが望ましく、また、たとえば電子レンジによる加熱手段を採用する場合には、マイクロ波を透過させる素材であることが必要なことから、上記合成樹脂製のラミネートフィルムを使用することが望ましい。
【００２２】
また、パウチの構造も特に限定ないが、一般には相対面するシートの周縁部がシールされた構成からなる。上下辺部及び左右の側辺部の４辺がシールされたものは４方パウチと称され、下辺部及び左右の側辺部の３辺がシールされたものは３方パウチと称されている。相対面するシートの周縁部のシール手段も特に限定されるものではなく、熱シールや超音波シール等、一般的なシール手段を採用することができる。シール部で包囲されるパウチの収容部内に収容される被収容物の種類も特に限定されるものではないが、本発明においては、湯煎や電子レンジ等によって加熱することを前提としていることから、主として食品に適用される。
【００２３】
このようなパウチにおいては、一般に開封時の起点となる開封起点部が形成され、そのような開封起点部としては、たとえばＶ字状のノッチやスリット状の切目等を採用することができる。このような開封起点部を起点として引き裂くことにより、収容部が開封されて被収容物を取り出すことのできる取出口が形成されることとなる。
【００２４】
パウチの両側縁部には、後述するスリーブの係止部を係止させる切欠が形成される。この切欠が形成される位置も特に限定されるものではないが、開封後においてもスリーブの係止部を係止させた状態とする必要があることから、実際には上記切欠は、パウチの両側縁部における上記開封起点部の下側に形成されることとなる。この切欠の形状も特に限定されるものではなく、たとえば平面略半円状、平面略正方形状、平面略長方形状等、任意の形状に形成される。
【００２５】
本発明のレトルト食品用包装体を構成するスリーブの材質も特に限定されるものではないが、加熱手段によっても把持することができる程度の熱さに熱伝達が制御される素材であることが必要であり、この観点からは、主として紙製のものが使用される。より具体的には、紙製シートの両面側に合成樹脂製シートを設けた３層構造のものを使用することができる。内面側が合成樹脂製シートで構成されるのは、上記のようなパウチの切欠に係止させるシール部を形成するためである。すなわち、スリーブの相対面する内面側が合成樹脂製シートで構成されることで、その相対面する内面側を熱等によって容易にシールすることができるのである。一方、外面側が合成樹脂製シートで構成されるのは、スリーブに耐水性を具備させるためである。すなわち、湯煎によって加熱する場合には、水分が紙に浸透するおそれがあるので、紙製シートの外面側に合成樹脂製シートを設けることで、紙への水分の浸透が好適に防止されることとなる。この場合、両面側の合成樹脂製シートとしては、たとえばポリエチレンシートのようなものを使用することができる。外面側の合成樹脂製シートには、たとえば発泡ポリエチレンからなるシートを使用することができる。
【００２６】
このように、スリーブの種類も特に限定されるものではなく、たとえば耐水性を有するポリエチレンコート紙、ポリエチレンラミネート紙、耐水段ボール紙等を使用することができる。また、紙以外の素材を使用することも可能であり、そのような素材として、たとえば吸水性の低い合成紙、合成樹脂製シート、プラスチック段ボール等を使用することもできる。尚、内容物を注出する際に、スリーブを折り畳むことにより、内容物が自然に注出されるようにする観点からは、スリーブは剛性を有する素材で構成されることが望ましい。
【００２７】
また、スリーブの形状、構造も特に限定されるものではなく、要は、パウチに外嵌することができるような筒状に形成されていればよい。ここで、「筒状」とは、上下に開口部を有する一般的な筒状の形態の他、上方のみに開口部を有するような有底筒状のような形態のものも含むことを意味する。また、下方のみに開口部を有するような形態のものをスリーブとして使用することも可能である。この場合には、スリーブの上方は、たとえばミシン目のような開封手段によって開封可能に構成することで、パウチの開封も好適に行うことができる。
【００２８】
尚、パウチを外嵌した状態で起立させることができるように、スリーブの側縁部には、ガゼットを形成するための折込部が形成されていることが望ましい。このようなガゼットは、側縁部の全体に形成することも可能であるが、パウチを外嵌した状態で起立させるためには、少なくとも中央付近より下側の下半部に形成されていればよい。尚、このようなガゼットを形成することは、本発明において必須の条件ではなく、加熱後に湯煎や電子レンジ等から取り出した後に、スリーブの側縁部を押圧して、強制的に折り込みを形成する等によって起立可能な形態とすることも可能である。
【００２９】
以下、本発明のより具体的な実施形態について、図面に従って説明する。
（実施形態１）
一実施形態のレトルト食品用包装体は、図１乃至図５に示すようなパウチ１と、図６乃至図８に示すようなスリーブ２とで構成されている。
【００３０】
パウチ１は、図１乃至図５に示すように、正面長方形状の表側シート３と、正面長方形状の裏側シート４とで構成されている。この表側シート２と裏側シート３とは、合成樹脂製の素材で構成されている。合成樹脂の種類は特に限定されるものではなく、たとえば、ポリエチレン、ポリプロピレン、ポリエチレンテレフタレート、ポリアミド、或いはこれらの合成樹脂層を複数層に積層し、さらにアルミニウムをラミネートしたようないわゆるアルミラミネートシート等を使用することができる。また、異種の合成樹脂製シートを積層したような一般のラミネートフィルムを使用することも可能である。
【００３１】
表側シート３と裏側シート４との周縁部は熱シール、超音波シール等によってシールされ、その周縁部のシール部分で包囲された部分はシールされることなく、図２乃至図５に示すように、表側シート３と裏側シート４間に被収容物を収容することができる空間を有する収容部５が形成されている。本実施形態においては、パウチ１の上部、底部、及び両側部に、それぞれ上部シール部６ａ、側部シール部６ｂ、６ｃ、底部シール部６ｄが形成されて、収容部５を包囲する４方がシールされた、いわゆる４方パウチと称される形態のパウチ１が形成されている。４方のシール部６ａ、６ｂ、６ｃ、６ｄで包囲された収容部５は、図１に示すように、全体が正面略長方形状に形成されている。
【００３２】
パウチ１の上部の両側縁部には、図１及び図５に示すように、開封起点部であるノッチ７、７が形成されている。このノッチ７は、図１に示すように略Ｖ字状に形成されている。ただし、スリット状の切り込みによって形成することも可能である。
【００３３】
この開封起点部であるノッチ７の直近の下側であって、両側の側部シール部６ｂ、６ｃには、図１及び図４に示すように、切欠８、８が形成されている。この切欠８、８は、図１に示すように略半円状に形成されている。このような切欠８、８を形成する必要性から、その切欠８、８の近辺より上側の側部シール部６ｂ、６ｃは、その近辺より下側の側部シール部６ｂ、６ｃよりも幅広に形成されている。そして、このように切欠８、８の近辺より上側と下側とで側部シール部６ｂ、６ｃの幅に差があることにより、上記収容部５の切欠８、８の近辺より上側は、下側よりも幅狭に形成されている。
【００３４】
このようなパウチ１において、表側シート３と裏側シート４とは同じ形態に形成されている。すなわち、上記シール部６ａ、６ｂ、６ｃ、６ｄ、ノッチ７、切欠８は、表側シート３と裏側シート４との双方にそれぞれ形成されている。パウチの性質上或いは機能上、特に表裏の区別がなされるものではないが、本実施形態では、便宜上、表側シート３と裏側シート４として説明する。
【００３５】
スリーブ２は、図６乃至図８に示すように、正面長方形状の表側シート９と、正面長方形状の裏側シート１０とで構成されている。この表側シート９と裏側シート１０とは、図９に示すように、紙製シート１１と、両面側の合成樹脂製シート１２ａ、１２ｂの３層で構成されている。尚、図９では、表側シート９の３層構造を示しているが、裏側シート１０も図９に示すものと同様の３層構造であり、その図示は省略する。ただし、外面側の合成樹脂製シート１２ａと内面側の合成樹脂製シート１２ｂは、表側シート９と裏側シート１０とで逆向きに位置しており、表側シート９と裏側シート１０との内面側の合成樹脂製シート１２ｂ、１２ｂが対面するように構成されている。そして、表側シート９と裏側シート１０間は、前記パウチ１を収納しうる収納部１３が形成されている。
【００３６】
スリーブ２は、上記のような紙製シート１１と合成樹脂製シート１２ａ、１２ｂの３層で構成された１枚のシートを、図８に示すように両側縁部１４ａ、１４ｂで折り曲げることによって形成され、その１枚のシートの両端部１５ａ、１５ｂを重ね合わせて熱等によってシールすることにより、上記のような表側シート９と裏側シート１０とが形成されるとともに、全体が筒状に形成されている。また、スリーブ２の上下は、シールされることなく開口されて開口部１６、１７が形成されている。スリーブ２の上縁は、わずかに湾曲するような曲線状に形成され、スリーブ２の下縁は直線状に形成されている。
【００３７】
そして、図１０乃至図１３に示すように、スリーブ２がパウチ１に外嵌されてレトルト食品用包装体が構成されている。このように、スリーブ２がパウチ１に外嵌された状態において、スリーブ２の両側縁部１４ａ、１４ｂの上部には、図１０に示すように、略半円状の係止部１８、１８が形成されている。そして、この係止部１８、１８は、図１０に示すように、パウチ１の切欠８、８内に収納されている。すなわち、略半円状のスリーブ２の係止部１８、１８は、略半円状のパウチ１の切欠８、８よりもわずかに小さく形成されており、結果として、スリーブ２の係止部１８、１８がパウチ１の切欠８、８内で係止されることとなる。この係止部１８、１８は、表側シート９と裏側シート１０とのそれぞれの内側の合成樹脂製シート１２ｂ、１２ｂ、すなわち相対面する合成樹脂製シート１２ｂ、１２ｂを熱などによってシールすることによって形成されている。
【００３８】
このような構成からなるレトルト食品用包装体は、たとえば食品等の被収容物が収容部５内に収容され、湯煎や電子レンジ等によって加熱して使用されるものである。
【００３９】
図２乃至図５、図１１乃至図１３においては特に被収容物は図示していないが、実際にはパウチ１が製袋される前に被収容物が表側シート３と裏側シート４との間に充填され、４方の周縁部がシールされて上部シール部６ａ、側部シール部６ｂ、６ｃ、底部シール部６ｄが形成されることで、パウチ１の製袋完成時には、すでに被収容物が収容部５内に収容された状態となっている。
【００４０】
そして、上記のようなレトルト食品用包装体を使用する場合には、上記のようにパウチ１にスリーブ２が外嵌された状態のまま、湯煎を行うために湯を収容した鍋等に入れて加熱される。或いは、電子レンジに入れてマイクロ波で加熱される。
【００４１】
この場合において、レトルト食品用包装体の１つの構成部材であるパウチ１は、湯煎で加熱する場合には、アルミラミネートシートで構成されることが望ましく、そのような熱伝導率の優れたアルミラミネートシートでパウチ１を構成することで、パウチ１内の内容物を好適に加熱することができる。また、電子レンジで加熱する場合には、ポリエチレンテレフタレートフィルム等の耐熱性のフィルムを含む合成樹脂製のラミネートフィルムを用いることが望ましく、そのような合成樹脂製のラミネートフィルムでパウチ１を構成することで、マイクロ波を好適に透過させることができ、パウチ１内の内容物を好適に加熱することができる。尚、電子レンジで加熱する場合、一般にはパウチを寝かせた状態で加熱されるが、本実施形態では、パウチ１の外側にスリーブ２が外嵌されてレトルト食品用包装体が構成されているので、そのレトルト食品用包装体を電子レンジ内で起立させた状態のまま好適に加熱することができる。
【００４２】
一方、好適に加熱されたパウチ１を、そのまま手に触れると熱さを感じ、従って、パウチ１を把持して湯煎や電子レンジから取り出す作業やパウチ１の開封作業を行うのは容易ではない。しかしながら、本実施形態では、レトルト食品用包装体の他の構成部材として、パウチ１にスリーブ２が外嵌され、そのスリーブ２は上記のように紙製シート１１とその両面側の合成樹脂製シート１２ａ、１２ｂの３層で構成されているため、紙製シート１１を具備するスリーブ２を把持することで、手に感じる熱さが軽減されることとなる。
【００４３】
従って、パウチ１には手を触れることなく、スリーブ２を把持しながら、湯煎の鍋から或いは電子レンジからのレトルト食品用包装体の取り出し作業を容易に行うことができる。このようにして取り出したレトルト食品用包装体は、一旦、台等に載置して起立されることができる。この場合において、スリーブ２の下半部には、図１３に示すようにガゼット１９が形成されているため、スリーブ２の下半部を容易に展開されることができ、それに伴って、パウチ１も外側に展開される状態となり。
【００４４】
一方、湯煎や電子レンジからの取り出し後、開封作業を行う場合には、パウチ１にはどうしても手を触れる必要があるが、その場合でも、一方の手でスリーブ２を把持しながら他方の手で開封起点部であるノッチ７を起点としてパウチ１を開封することができるので、従来のようにパウチ１の胴部には手を触れる必要がなく、ノッチ７の近傍のみに他方の手を触れるだけで開封できるので、パウチ１の開封作業に支障を生じるようなこともない。
【００４５】
また、パウチ１の開封後は、図１４に示すように、手２０でスリーブ２を押圧することによって、開封後のパウチ１の注出口２１から内容物を注出することができる。すなわち、スリーブ２にはガゼット１９が形成されて下半部が展開状態とされ、それに伴ってパウチ１も外側に展開状態とされているので、そのスリーブ２の下半部を押圧することによって、内容物は図１４の矢印方向に移動することとなり、注出口２１から内容物を注出する作業を好適に行うことができる。
【００４６】
このように内容物を注出した後、レトルト食品用包装体を分別廃棄する作業も容易に行うことができる。すなわち、図１５に示すように、一方の手２０でスリーブ２を把持し、他方の手（図示せず）でパウチ１をスリーブ２から引き抜くことによって、パウチ１とスリーブ２とを分別して廃棄することができる。この場合、上述のようにスリーブ２のシール部１８がパウチ１の切欠８内に係入されているので、パウチ１のスリーブ２からの不用意な離脱は禁止されているのであるが、そのような係入状態に抗してパウチ１を引っ張ることで、スリーブ２の係止部１８とパウチ１の切欠の係止状態を強制的に解除することができ、それによってパウチ１をスリーブ２から強制的に引き抜くことができるのである。
【００４７】
以上のように、本実施形態においては、レトルト食品用包装体の構成部材として、内容物が収容されるパウチ１とは別に、該パウチ１を外嵌するスリーブ２も構成部材とされているので、レトルト食品用包装体を加熱後に湯煎や電子レンジから取り出す作業、取り出し後の開封作業、開封後の内容物の抽出作業を、外面側が紙製のスリーブ２を把持することによってすべて行えるので、従来のようにパウチのみを把持してこれらの作業を行う場合に比べて、手に感じる熱さが著しく軽減されることとなった。
【００４８】
また、スリーブ２の内面側は上記のように合成樹脂製シート１２ｂ、１２ｂで構成されているので、その相対面する表側シート９と裏側シート１０の合成樹脂製シート１２ｂ、１２ｂを熱等によってシールすることで係止部１８を形成することができ、そのシール部１８をパウチ１の切欠８に係止することで、パウチ１のスリーブ２からの不用意な離脱は禁止され、上記分別廃棄時のようにパウチ１を強制的にスリーブ２から引き抜かない限り、パウチ１のスリーブ２からの離脱が防止されることとなる。
【００４９】
（実施形態２）
本実施形態では、スリーブ２をパウチ１に止着する手段が上記実施形態１と相違している。それに伴い、パウチ１とスリーブ２の構造も上記実施形態１と相違している。
【００５０】
図１７及び図１８に示すように、パウチ１の両側縁部の下半部には窪み部２２、２２が形成され、該窪み部２２、２２の下側には係入突片２３、２３が形成されている。
【００５１】
パウチ１が、正面長方形状の合成樹脂製の表側シート３と裏側シート４とで構成されている点、パウチ１の上部、底部、及び両側部に、それぞれ上部シール部６ａ、側部シール部６ｂ、６ｃ、底部シール部６ｄが形成されて、収容部５を包囲する４方がシールされた４方パウチと称される形態に形成されている点、パウチ１の上部の一側縁部に開封起点部であるノッチ７が形成されている点等は、上記実施形態１と共通するため、その詳細な説明は省略する。
【００５２】
またスリーブ２は、図２０に示すように、裏側シート１０の両側に、表側シート９を構成するシート片９ａ、９ｂが連設された１枚のシートによって構成されている。表側シート９を構成するシート片９ａ、９ｂの側縁には、相互に係合可能な略半円状の係合片２４ａ、２４ｂがそれぞれ形成されており、前記１枚のシートを、図１９に示すように両側縁部１４ａ、１４ｂで折り曲げ、前記シート片９ａ、９ｂの係合片２４ａ、２４ｂを相互に係合させることによって、図２１に示すように表側シート９と裏側シート１０とが形成されるとともに、全体が筒状に形成されている。
【００５３】
さらに、スリーブ２の両側縁部の下部には、図１９、図２０、及び図２２に示すように、前記パウチ１の係入突片２３、２３が係入される係入孔２５、２５が形成されている。
【００５４】
スリーブ２が、正面長方形状の表側シート９と裏側シート１０とで構成されている点、その表側シート９と裏側シート１０とが、紙製シート１１と、両面側の合成樹脂製シート１２ａ、１２ｂの３層で構成されている点、スリーブ２の上下が開口されて開口部１６、１７が形成されている点、スリーブ２の上縁は、わずかに湾曲するような曲線状に形成され、スリーブ２の下縁は直線状に形成されている点等は、上記実施形態１と共通するため、その詳細な説明は省略する。
【００５５】
そして、図２３乃至図２５に示すように、スリーブ２がパウチ１の窪み部２２、２２が形成された部分に外嵌されてレトルト食品用包装体が構成されている。このように、スリーブ２がパウチ１に外嵌された状態において、図２３及び図２４に示すようにスリーブ２の係合片２４ａ、２４ｂが相互に係合され、さらに図２３及び図２５に示すようにパウチ１の係入突片２３、２３がスリーブ２の係入孔２５、２５に係入されている。
【００５６】
本実施形態のレトルト食品用包装体も、上記実施形態１と同様に、パウチ１にスリーブ２が外嵌された状態のまま、湯煎を行うために湯を収容した鍋等に入れて加熱され、或いは、電子レンジに入れてマイクロ波で加熱されて使用される。そして、レトルト食品用包装体を起立させた状態のまま好適に加熱することができる。
【００５７】
また、本実施形態においても、スリーブ２が紙製シート１１とその両面側の合成樹脂製シート１２ａ、１２ｂの３層で構成されているため、紙製シート１１を具備するスリーブ２を把持することで、手に感じる熱さが軽減され、パウチ１には手を触れることなく、スリーブ２を把持しながら、湯煎の鍋から或いは電子レンジからのレトルト食品用包装体の取り出し作業を容易に行うことができる。一方の手でスリーブ２を把持しながら他方の手で開封起点部であるノッチ７を起点としてパウチ１を開封することができる点も実施形態１と同様である。
【００５８】
さらに、パウチ１から内容物を注出した後、スリーブ２の係合片２４ａ、２４ｂの係合状態を解除し、さらにパウチ１の係入突片２３をスリーブ２の係入孔２５から抜き取ることによってスリーブ２をパウチ１から容易に取り外すことができ、従ってレトルト食品用包装体を分別廃棄する作業も非常に容易に行うことができる。
【００５９】
このように、本実施形態においても、レトルト食品用包装体を加熱後に湯煎や電子レンジから取り出す作業、取り出し後の開封作業、開封後の内容物の抽出作業を、外面側が紙製のスリーブ２を把持することによってすべて行えるので、従来に比べて手に感じる熱さが著しく軽減されることとなる。
【００６０】
また、スリーブ２がパウチ１に外嵌された状態において、係合片２４ａ、２４ｂが相互に係合され、且つパウチ１の係入突片２３がスリーブ２の係入孔２５に係入されているので、パウチ１のスリーブ２からの不用意な離脱は禁止され、上記のように係合片２４ａ、２４ｂの係合状態を解除させ、且つパウチ１の係入突片２３をスリーブ２の係入孔２５から抜き取らない限り、パウチ１のスリーブ２からの離脱が防止されることとなる。
【００６１】
（実施形態３）
本実施形態では、スリーブ２をパウチ１に止着する手段が上記実施形態１、２と相違している。それに伴い、パウチ１とスリーブ２の構造も上記実施形態１と相違している。
【００６２】
本実施形態では、上記実施形態１の切欠８や実施形態２の窪み部２２のようなものはパウチ１に形成されておらず、図２６に示すように正面長方形状に形成されている。パウチ１の上部、底部、及び両側部に、それぞれ上部シール部６ａ、側部シール部６ｂ、６ｃ、底部シール部６ｄが形成されて、収容部５を包囲する４方がシールされた４方パウチと称される形態に形成されている点、パウチ１の上部の一側縁部に開封起点部であるノッチ７が形成されている点等は、上記実施形態１と共通するため、その詳細な説明は省略する。
【００６３】
またスリーブ２は、図２７及び図２８に示すように、１枚のシートを、折曲部２６を介して折り曲げるとともに、シートの両端部１５ａ、１５ｂを接触させるように位置させることによって筒状に形成されているとともに、表側シート９と裏側シート１０とが形成されている。そして、表側シート９と裏側シート１０との内面側を、パウチ１の表側シート３と裏側シート４との外面側に、接着剤２７、２７を介してそれぞれ接着することによって、スリーブ２がパウチ１に止着されている。
【００６４】
スリーブ２が、正面長方形状の表側シート９と裏側シート１０とで構成されている点、その表側シート９と裏側シート１０とが、紙製シート１１と、両面側の合成樹脂製シート１２ａ、１２ｂの３層で構成されている点等は、上記実施形態１、２と共通するため、その詳細な説明は省略する。
【００６５】
本実施形態のレトルト食品用包装体も、上記実施形態１、２と同様に、パウチ１にスリーブ２が外嵌された状態のまま、湯煎を行うために湯を収容した鍋等に入れて加熱され、或いは、電子レンジに入れてマイクロ波で加熱されて使用される。ただし、実施形態１、２のように、レトルト食品用包装体を起立させた状態のまま加熱することはできない。
【００６６】
また、本実施形態においても、スリーブ２が紙製シート１１とその両面側の合成樹脂製シート１２ａ、１２ｂの３層で構成されているため、紙製シート１１を具備するスリーブ２を把持することで、手に感じる熱さが軽減され、パウチ１には手を触れることなく、スリーブ２を把持しながら、湯煎の鍋から或いは電子レンジからのレトルト食品用包装体の取り出し作業を容易に行うことができる。一方の手でスリーブ２を把持しながら他方の手で開封起点部であるノッチ７を起点としてパウチ１を開封することができる点も実施形態１と同様である。
【００６７】
さらに、パウチ１から内容物を注出した後、スリーブ２をパウチ１から強制的に剥離することで、レトルト食品用包装体を分別廃棄する作業も容易に行うことができる。
【００６８】
このように、本実施形態においても、レトルト食品用包装体を加熱後に湯煎や電子レンジから取り出す作業、取り出し後の開封作業、開封後の内容物の抽出作業を、外面側が紙製のスリーブ２を把持することによってすべて行えるので、従来に比べて手に感じる熱さが著しく軽減されることとなる。
【００６９】
また、スリーブ２がパウチ１に外嵌された状態において、接着剤２７を介してスリーブ２がパウチ１に接着されているので、パウチ１のスリーブ２からの不用意な離脱は禁止され、上記のようにスリーブ２をパウチ１から強制的に剥離しない限り、パウチ１のスリーブ２からの離脱が防止されることとなる。
【００７０】
（その他の実施形態）
尚、上記実施形態１では、スリーブ２の相対面する合成樹脂製シート１２ｂ、１２ｂを熱等によってシールすることで係止部１８を形成し、そのシール部１８をパウチ１の切欠８に係止することでスリーブ２をパウチ１に止着し、また上記実施形態２では、パウチ１の下部に係入突片２３を形成し、該係入突片２３を係入することができる係入孔２５をスリーブ２の下部に形成してパウチの係入突片２３をスリーブ２の係入孔２５に係入し、且つスリーブ２の係合片２４ａ、２４ｂを相互に係合させることによってスリーブ２をパウチ１に止着し、さらに上記実施形態３では、接着剤２７を介してスリーブ２をパウチ１に接着することによってスリーブ２をパウチ１に止着したが、スリーブ２をパウチ１に止着するための手段は、これら実施形態１乃至３のような手段に限定されるものではなく、他の手段を採用することも可能である。
【００７１】
また、上記実施形態では、パウチ１を構成する表側シート３と裏側シート４とが、ポリエチレン、ポリプロピレン、ポリエチレンテレフタレート、ポリアミド、或いはこれらの合成樹脂層を複数層に積層したようなもの等に、アルミニウムをラミネートしたようないわゆるアルミラミネートシート、或いは異材質の合成樹脂製シートを積層した合成樹脂製のラミネートシートを使用する場合について説明したが、表側シート３及び裏側シート４の材質はこれに限定されるものではなく、これら以外の素材を用いることも可能である。
【００７２】
さらに、上記実施形態では、パウチ１の上部、両側部、底部の４方がシールされた、いわゆる４方パウチと称される形態の構成としたが、これに限らず、たとえば上部と両側部の３方、或いは上部と一方の側部及び底部の３方がシールされた、いわゆる３方パウチと称される形態の構成とすることも可能である。
【００７３】
さらに、上記実施形態では、スリーブ２として、紙製シート１１と両面側の合成樹脂製シート１２ａ、１２ｂの３層で構成したものを用いたが、スリーブ２の構造はこれに限定されるものではない。たとえば紙製シートの一面側にポリエチレン等の合成樹脂製シートを設けるとともに、他面側には発泡ポリエチレンシートを設けて３層構造とすることも可能である。さらには、紙製シートと発泡ポリエチレンシートを内側に配置し、紙製シートの外側にポリエチレンからなるシートを設けるとともに、発泡ポリエチレンシートの外側にポリエチレンテレフタレートからなるシートを設けて４層構造にすることも可能である。このような４層構造にした場合には、印刷をより鮮明に施すことができるという効果がある。さらに、紙製シートと合成樹脂製シートの２層構造とすることも可能である。
【００７４】
その他、本発明の意図する範囲で任意に設計変更可能である。
【符号の説明】
【００７５】
１  パウチ
２  スリーブ
８  切欠
１１  紙製シート
１２ａ  合成樹脂製シート
１２ｂ  合成樹脂製シート
１８  シール部
【図１】
2011088662.tif 000003
【図２】
2011088662.tif 000004
【図３】
2011088662.tif 000005
【図４】
2011088662.tif 000006
【図５】
2011088662.tif 000007
【図６】
2011088662.tif 000008
【図７】
2011088662.tif 000009
【図８】
2011088662.tif 000010
【図９】
2011088662.tif 000011
【図１０】
2011088662.tif 000012
【図１１】
2011088662.tif 000013
【図１２】
2011088662.tif 000014
【図１３】
2011088662.tif 000015
【図１４】
2011088662.tif 000016
【図１５】
2011088662.tif 000017
【図１６】
2011088662.tif 000018
【図１７】
2011088662.tif 000019
【図１８】
2011088662.tif 000020
【図１９】
2011088662.tif 000021
【図２０】
2011088662.tif 000022
【図２１】
2011088662.tif 000023
【図２２】
2011088662.tif 000024
【図２３】
2011088662.tif 000025
【図２４】
2011088662.tif 000026
【図２５】
2011088662.tif 000027
【図２６】
2011088662.tif 000028
【図２７】
2011088662.tif 000029
【図２８】
2011088662.tif 000030